(57)【要約】【課題】映像の鑑賞時において、ユーザーが必要に応じて明るい視界を容易に得られるようにする。【解決手段】立体視用眼鏡は、加速度センサを備えている。立体視用眼鏡は、映像との同期タイミングを示す同期信号を受信すると（Ｓ２：ＹＥＳ）、受信した同期信号に従って右眼用の第１シャッターと左眼用の第２シャッターとを交互に開閉させる（Ｓ３）。また、立体視用眼鏡は、同期信号の受信が一時的に途切れても（Ｓ２：ＮＯ）、それが自走期間以下であれば（Ｓ４：ＹＥＳ）、途切れる前の同期信号に基づいて開閉タイミングを予測し、第１シャッターと第２シャッターとを交互に開閉させる（Ｓ５）。一方、立体視用眼鏡は、ユーザが所定の動きをした場合には（Ｓ１：ＹＥＳ）、同期信号の有無によらず、第１シャッターと第２シャッターの双方を開状態にする。【選択図】図５
2013062570.tif 000002
【特許請求の範囲】
【請求項１】
開状態又は閉状態になる右眼用の第１シャッターと、
開状態又は閉状態になる左眼用の第２シャッターと、
表示装置により表示される映像との同期タイミングを示す同期信号を受信する通信部と、
ユーザーの動きと相関を有する物理量を測定するためのセンサーと、
前記通信部により受信された同期信号に従って、前記第１シャッターと前記第２シャッターの開閉状態を一方が開状態のときに他方が閉状態になるように切り替えるとともに、測定された前記物理量により特定される前記ユーザーの動きが所定の条件を満たす場合に前記第１シャッターと前記第２シャッターの双方を開状態にする制御部と
を備える立体視用眼鏡。
【請求項２】
前記制御部は、
前記通信部により受信された同期信号に従って前記第１シャッターと前記第２シャッターの開閉状態を切り替える第１モードと、
前記同期信号の受信が途切れた場合に、途切れる前に受信した前記同期信号に基づいて切り替えタイミングを予測し、前記第１シャッターと前記第２シャッターの開閉状態を所定期間切り替える第２モードと、
前記第１モード又は前記第２モードで動作している場合において、前記ユーザーの動きが前記所定の条件を満たしたとき、前記第１シャッターと前記第２シャッターの双方を開状態にする第３モードと
により前記第１シャッターと前記第２シャッターの開閉状態を制御する
ことを特徴とする請求項１に記載の立体視用眼鏡。
【請求項３】
前記センサーは、
鉛直方向の加速度及び鉛直方向と異なる他の方向の加速度を測定し、
前記制御部は、
前記他の方向の加速度が第１の閾値よりも大きい場合に、前記ユーザーの動きが前記所定の条件を満たすと判断するとともに、前記鉛直方向の加速度が前記第１の閾値よりも小さい第２の閾値よりも大きい場合に、前記ユーザーの動きが前記所定の条件を満たすと判断する
ことを特徴とする請求項１又は２に記載の立体視用眼鏡。
【請求項４】
前記通信部は、
前記同期信号と、前記表示装置により表示される映像を識別する識別信号とを受信し、
前記制御部は、
前記通信部により受信された識別信号に応じて前記所定の条件を変化させる
ことを特徴とする請求項１ないし３のいずれか１項に記載の立体視用眼鏡。
【請求項５】
請求項１ないし４のいずれか１項に記載の立体視用眼鏡と、
前記立体視用眼鏡の動作に同期するように立体視用の映像を表示する表示装置と
を備える表示システム。
【請求項６】
前記表示装置は、
前記第１シャッターと前記第２シャッターの双方が開状態になる場合に、前記映像の表示を一時停止し、又は当該映像と異なる他の映像を表示する
ことを特徴とする請求項５に記載の表示システム。
【請求項７】
開状態又は閉状態になる右眼用の第１シャッターと、開状態又は閉状態になる左眼用の第２シャッターとを備える立体視用眼鏡において、
表示装置により表示される映像との同期タイミングを示す同期信号を受信するステップと、
前記受信された同期信号に従い、前記第１シャッターと前記第２シャッターの開閉状態を一方が開状態のときに他方が閉状態になるように切り替えるステップと、
前記第１シャッターと前記第２シャッターとが前記同期信号に基づいて動作している場合において、ユーザーが所定の条件を満たす動きをしたとき、前記第１シャッターと前記第２シャッターの双方を開状態にするステップと
を実行することを特徴とする立体視用眼鏡の動作方法。
【発明の詳細な説明】
【技術分野】
【０００１】
本発明は、いわゆる３Ｄ映像（立体視を可能にする映像）の表示時の制御に関する。
【背景技術】
【０００２】
３Ｄ映像の鑑賞においては、専用の眼鏡が用いられることがある。例えば、アクティブシャッター方式の眼鏡は、右眼用のシャッターと左眼用のシャッターを交互に開閉し、右眼には右眼用の画像を知覚させ、左眼には左眼用の画像を知覚させることによって立体視を実現する。また、眼鏡と表示装置との間では、同期信号によって同期が取られるのが一般的である（例えば、特許文献１参照）。
【先行技術文献】
【特許文献】
【０００３】
【特許文献１】特開２０１０−２６８４４９号公報
【発明の概要】
【発明が解決しようとする課題】
【０００４】
このような開閉状態にある眼鏡を装着したユーザーは、実際に知覚できている光の明るさが非装着時の半分程度になる。すなわち、立体視用の眼鏡を装着して映像を視聴しているユーザーは、知覚できる明るさが制限されている。
しかし、ユーザーは、突然の事態（地震等の災害、意図せぬ来訪者など）が生じた際には、映像の鑑賞を中断せざるを得ない場合がある。このような場合には、突然の事態への対処（避難、来訪者の応対など）が求められるが、視界が暗い状態では適切な対処ができないおそれがある。とはいえ、突然の事態に際して、眼鏡を即座に外すということも困難な場合がある。
【０００５】
そこで、本発明は、映像の鑑賞時において、ユーザーが必要に応じて明るい視界を容易に得られるようにすることを目的とする。
【課題を解決するための手段】
【０００６】
本発明の一態様に係る立体視用眼鏡は、開状態又は閉状態になる右眼用の第１シャッターと、開状態又は閉状態になる左眼用の第２シャッターと、表示装置により表示される映像との同期タイミングを示す同期信号を受信する通信部と、ユーザーの動きと相関を有する物理量を測定するためのセンサーと、前記通信部により受信された同期信号に従って、前記第１シャッターと前記第２シャッターの開閉状態を一方が開状態のときに他方が閉状態になるように切り替えるとともに、測定された前記物理量により特定される前記ユーザーの動きが所定の条件を満たす場合に前記第１シャッターと前記第２シャッターの双方を開状態にする制御部とを備える構成を有する。
この立体視用眼鏡によれば、ユーザーが所定の動きをした場合に、第１シャッターと第２シャッターの双方が開状態になって明るい視界を得ることができる。
【０００７】
好ましい態様において、前記制御部は、前記通信部により受信された同期信号に従って前記第１シャッターと前記第２シャッターの開閉状態を切り替える第１モードと、前記同期信号の受信が途切れた場合に、途切れる前に受信した前記同期信号に基づいて切り替えタイミングを予測し、前記第１シャッターと前記第２シャッターの開閉状態を所定期間切り替える第２モードと、前記第１モード又は前記第２モードで動作している場合において、前記ユーザーの動きが前記所定の条件を満たしたとき、前記第１シャッターと前記第２シャッターの双方を開状態にする第３モードとにより前記第１シャッターと前記第２シャッターの開閉状態を制御する。
この態様によれば、第２モードで動作している場合に、所定期間が満了する前に第３モードに移行することができる。
【０００８】
別の好ましい態様において、前記センサーは、鉛直方向の加速度及び鉛直方向と異なる他の方向の加速度を測定し、前記制御部は、前記他の方向の加速度が第１の閾値よりも大きい場合に、前記ユーザーの動きが前記所定の条件を満たすと判断するとともに、前記鉛直方向の加速度が前記第１の閾値よりも小さい第２の閾値よりも大きい場合に、前記ユーザーの動きが前記所定の条件を満たすと判断する。
この態様によれば、着座した状態から起立するような動作に迅速に反応することができる。
【０００９】
さらに別の好ましい態様において、前記通信部は、前記同期信号と、前記表示装置により表示される映像を識別する識別信号とを受信し、前記制御部は、前記通信部により受信された識別信号に応じて前記所定の条件を変化させる。
この態様によれば、第１シャッターと第２シャッターの双方が開状態になる条件を映像に応じて変えることができる。
【００１０】
本発明の他の態様に係る表示システムは、上記のいずれかの態様の立体視用眼鏡と、前記立体視用眼鏡の動作に同期するように立体視用の映像を表示する表示装置とを備える。
この態様において、前記表示装置は、前記第１シャッターと前記第２シャッターの双方が開状態になる場合に、前記映像の表示を一時停止し、又は当該映像と異なる他の映像を表示するようにしてもよい。
この態様によれば、ユーザーの利便性を向上させることができる。
【００１１】
また、本発明は、開状態又は閉状態になる右眼用の第１シャッターと、開状態又は閉状態になる左眼用の第２シャッターとを備える立体視用眼鏡において、表示装置により表示される映像との同期タイミングを示す同期信号を受信するステップと、前記受信された同期信号に従い、前記第１シャッターと前記第２シャッターの開閉状態を一方が開状態のときに他方が閉状態になるように切り替えるステップと、前記第１シャッターと前記第２シャッターとが前記同期信号に基づいて動作している場合において、ユーザーの特定の部位が所定の条件を満たす動きをしたとき、前記第１シャッターと前記第２シャッターの双方を開状態にするステップとを実行する立体視用眼鏡の動作方法としても把握されるものである。
この動作方法によっても、ユーザーが所定の動きをした場合に、第１シャッターと第２シャッターの双方が開状態になって明るい視界を得ることができる。
【図面の簡単な説明】
【００１２】
【図１】表示システムの全体構成を示す図。
【図２】表示システムのハードウェア構成を示すブロック図。
【図３】第１シャッター及び第２シャッターの外観上の構成を示す図。
【図４】眼鏡の状態遷移を示す図。
【図５】眼鏡の動作例を示すフローチャート。
【発明を実施するための形態】
【００１３】
［実施形態］
図１は、本発明の実施の一形態である表示システム１０の全体構成を示す図である。図１（ａ）は、同図に示す３次元直交座標系を定義した場合のＺ軸の負方向側から表示システム１０の外観を示す図であり、図１（ｂ）は、このＺ軸の正方向側から表示システム１０の外観を示す図である。表示システム１０は、立体視用の表示システムであって、表示装置１００と眼鏡２００とを備える。表示装置１００と眼鏡２００とは、無線で通信可能に接続されている。ここでは、表示システム１０は、ＡＶ（audio-visual）ルームのような室内において、特定の１名のユーザーが映像を鑑賞するために使用されるものとする。また、ユーザーは、椅子やソファーなどに着座した状態で映像を鑑賞するものとする。なお、表示システム１０は、図２に示す構成のほかに、音声を再生する構成（スピーカー等）や、ユーザーが遠隔操作するためのリモートコントローラーなどを備えていてもよい。
【００１４】
表示装置１００は、映像を表示する装置である。ここでいう映像は、主として動画像のことを想定しているが、静止画像を含んでもよい。また、表示装置１００は、ここではスクリーンＳＣに映像を投射することによって表示するプロジェクターであるとする。眼鏡２００は、ユーザーが立体視用の映像を鑑賞するときに装着する眼鏡状の器具である。
【００１５】
図２は、表示システム１０のハードウェア構成を示すブロック図である。表示装置１００は、図２に示すように、信号取得部１１０と、画像処理部１２０と、表示部１３０と、制御部１４０と、通信部１５０とを備える。信号取得部１１０は、外部から映像信号を取得する手段である。信号取得部１１０は、ＤＶＤ（Digital Versatile Disc）プレーヤーなどの再生装置や送信所（無線局）から、立体視が可能な映像信号を有線又は無線で取得する。画像処理部１２０は、信号取得部１１０により取得された映像信号に対して画像処理を実行する手段である。画像処理部１２０が実行する画像処理は、例えば、映像の画質（明るさ、コントラストなど）を調整する処理や、映像信号が表す映像に重ねて、又は当該映像に代えて、他の映像を表示させる処理などである。
【００１６】
表示部１３０は、映像を表示する手段である。表示部１３０は、液晶素子や有機ＥＬ（Electro-Luminescence）素子などの表示素子によって構成される画素をマトリクス状に配置した表示パネルとその駆動回路とを有し、画像処理部１２０から供給される映像信号に応じた映像を表示する。表示部１３０は、表示装置１００がプロジェクターである場合、光を射出する光源、光源から射出された光を映像信号に基づいて変調する光変調素子（透過型の液晶パネル等）、光変調素子によって変調された光をスクリーンＳＣなどの投射面に対して投射する投射光学系などを含んで構成される。
【００１７】
制御部１４０は、表示装置１００の動作を制御する手段である。制御部１４０は、ＣＰＵ（Central Processing Unit）などの演算処理装置や、ＲＯＭ（Read Only Memory）、ＲＡＭ（Random Access Memory）などのメモリーを有し、プログラムに記述された手順で処理を実行することにより、画像処理部１２０や通信部１５０の動作を制御する。制御部１４０が実行する処理には、表示部１３０により表示される映像との同期タイミングを示す同期信号を映像信号に基づいて生成する処理が含まれる。
【００１８】
通信部１５０は、同期信号を眼鏡２００に送信する手段である。通信部１５０は、赤外線の発光素子を有し、制御部１４０により生成された同期信号を赤外線によって送信する。同期信号は、後述する第１シャッター２５１及び第２シャッター２５２の開閉状態を決定するための信号であって、いずれかのシャッターを閉状態から開状態にし、又は開状態から閉状態にする命令を少なくとも含んでいる。
【００１９】
眼鏡２００は、図２に示すように、通信部２１０と、加速度センサー２２０と、記憶部２３０と、制御部２４０と、シャッター部２５０とを備える。通信部２１０は、赤外線の受光素子を有し、表示装置１００から送信された同期信号を受信する手段である。また、通信部２１０は、受信した同期信号を制御部２４０に供給する。
【００２０】
加速度センサー２２０は、ユーザーの特定の部位が移動したときの加速度を測定するセンサーである。加速度センサー２２０は、ここでは眼鏡２００に内蔵されているもの（すなわち頭部の加速度を測定するもの）とするが、例えば、眼鏡２００と有線又は無線で接続され、ユーザーの他の部位（腕、胴など）に装着できるようになっていてもよい。本実施形態において、加速度センサー２２０は、いわゆる３軸加速度センサーであり、重力方向（すなわち鉛直方向）の加速度と他の方向の加速度とを測定可能である。以下においては、鉛直方向をＺ方向とし、これに直交する互いに異なる２方向をそれぞれＸ方向、Ｙ方向とする。加速度センサー２２０は、その測定結果を示す加速度データを制御部２４０に供給する。
【００２１】
記憶部２３０は、データを記憶する手段である。記憶部２３０は、例えばフラッシュメモリーなどによって構成され、制御部２４０が制御に用いるデータを記憶している。記憶部２３０が記憶するデータは、例えば、各種のパラメーターであり、ここには加速度や変位の比較に用いられる閾値が含まれる。
【００２２】
制御部２４０は、眼鏡２００の動作を制御する手段である。制御部２４０は、演算処理装置やメモリーを有し、プログラムに記述された手順で処理を実行することにより、シャッター部２５０の開閉状態を制御する。制御部２４０は、通信部２１０により受信される同期信号に加え、加速度センサー２２０から供給される加速度データを用いてシャッター部２５０の開閉状態を決定する。
【００２３】
シャッター部２５０は、ユーザーの両眼に入射する光を制御する手段である。シャッター部２５０は、第１シャッター２５１と、第２シャッター２５２と、駆動部２５３とを有する。第１シャッター２５１及び第２シャッター２５２は、光を遮る状態（以下「閉状態」という。）と光を透過する状態（以下「開状態」という。）を切り替えることが可能である。第１シャッター２５１及び第２シャッター２５２は、例えば、液晶により開状態と閉状態を切り替える液晶シャッターであるが、開状態と閉状態を切り替えることが可能であれば、液晶によるものに限定されるわけではない。第１シャッター２５１は、右眼用のシャッターであって、第２シャッター２５２は、左眼用のシャッターである。
【００２４】
駆動部２５３は、第１シャッター２５１及び第２シャッター２５２を駆動する手段である。駆動部２５３は、制御部２４０から供給される同期信号を解析し、第１シャッター２５１及び第２シャッター２５２のそれぞれを駆動する駆動信号を生成する。また、駆動部２５３は、このような同期信号に従った通常の動作に加え、後述する例外的な動作を実行する。
【００２５】
図３は、第１シャッター２５１及び第２シャッター２５２の外観上の構成を示す図である。同図に示すように、第１シャッター２５１及び第２シャッター２５２は、通常の眼鏡のレンズに相当する部分に設けられ、ユーザーが装着したときに眼前に位置する。また、眼鏡２００のその他の構成（記憶部２３０、制御部２４０など）は、フレームの部分やテンプルの部分に内蔵されている。
【００２６】
表示システム１０の構成は、以上のとおりである。ユーザーは、この構成の表示システム１０を用いて、３Ｄ映像を鑑賞する。ユーザーは、眼鏡２００が同期信号を受信できる位置において眼鏡２００を装着し、３Ｄ映像を鑑賞する。３Ｄ映像を再生するとき、表示装置１００は、右眼用の画像と左眼用の画像とを交互に表示する。眼鏡２００は、表示装置１００による表示に同期して、第１シャッター２５１及び第２シャッター２５２の開閉状態を切り替える。
【００２７】
図４は、眼鏡２００の状態遷移を示す図である。眼鏡２００は、同図に示す「同期モード」、「自走モード」、「スタンバイモード」の３種類の動作モードで動作し、第１シャッター２５１及び第２シャッター２５２の開閉状態を制御することが可能である。同期モード、自走モード、スタンバイモードは、それぞれ、本発明の第１モード、第２モード、第３モードに相当する動作モードである。
【００２８】
同期モードは、眼鏡２００が同期信号に従って動作する場合の動作モードである。眼鏡２００は、表示装置１００から送信されている同期信号を受信できているときは、同期モードで動作する。同期モードにおいて、眼鏡２００は、同期信号が示すタイミングで第１シャッター２５１及び第２シャッター２５２を交互に開閉する。すなわち、第１シャッター２５１及び第２シャッター２５２は、同期モードにおいては、一方が開状態になれば他方が閉状態になる、という動作を繰り返す。
【００２９】
なお、同期モードにおいて、第１シャッター２５１及び第２シャッター２５２は、一方が開状態であるときに他方が必ず閉状態であるとは限らず、双方が閉状態（又は開状態）である期間が開閉状態の切り替え時に存在する場合がある。第１シャッター２５１及び第２シャッター２５２の切り替えタイミングは、表示部１３０の表示素子の応答性などによって異なり得る。
【００３０】
自走モードは、同期モードで動作している場合において、何らかの理由によって同期信号の受信が途切れたときに、途切れる前に受信した同期信号に基づいて動作する場合の動作モードである。同期信号は、規則性を有しているため、ある程度の予測が可能である。自走モードにおいて、眼鏡２００は、途切れる前に受信した同期信号の規則性に基づいて第１シャッター２５１及び第２シャッター２５２の切り替えタイミングを予測し、同期モードの場合と同じタイミングで動作する。自走モードがあることで、ユーザーは、同期信号が一時的に（ごく短期間だけ）欠落した場合に、その欠落によってその後の映像の視聴が妨げられないようにすることができる。
【００３１】
なお、自走モードは、同期信号が途切れた後の所定期間に限って機能する動作モードである。自走モードで動作する期間のことを、以下においては「自走期間」という。同期信号が自走期間を超えて（すなわち長期間）受信できない場合というのは、同期信号が眼鏡２００に到達しないくらいユーザーが表示装置１００から離れた場合や、表示装置１００において映像の再生が停止した場合などのように、第１シャッター２５１及び第２シャッター２５２の開閉を継続する必要がない場合であることが多いためである。眼鏡２００は、自走期間中に同期信号を再び受信できるようになると、自走モードから同期モードに移行する。
【００３２】
スタンバイモードは、眼鏡２００が同期信号によらないで動作する場合の動作モードであり、この点（同期信号に依存しない点）において、同期信号に基づいて動作する同期モード及び自走モードと異なる。スタンバイモードにおいて、眼鏡２００は、第１シャッター２５１及び第２シャッター２５２の双方を開状態のままにし、ユーザーの視界の明るさを確保する。
【００３３】
眼鏡２００がスタンバイモードで動作するのは、同期モード又は自走モードにおいて、加速度データが所定の条件を満たした場合と、自走モードにおいて、同期信号が自走期間を超えて受信できなかった場合のいずれかである。また、眼鏡２００は、電源の投入直後においても、スタンバイモードで動作する。眼鏡２００は、その後、表示装置１００から送信されている同期信号の受信に成功すると、スタンバイモードから同期モードに移行する。
【００３４】
図５は、眼鏡２００の動作例を示すフローチャートである。眼鏡２００において、制御部２４０は、まず、加速度センサー２２０により測定された加速度データにより特定されるユーザーの動き（本実施形態においては、ユーザーの頭部の動き）が所定の条件を満たすか否かを判断する（ステップＳ１）。ここでいう条件は、Ｘ方向、Ｙ方向、Ｚ方向のそれぞれの加速度の大きさ（絶対値）や、加速度に基づいて算出される各方向の変位の大きさによって定まるものであり、より具体的には、各方向の加速度（又は変位）が閾値よりも大きいか否かによって判断される。つまり、制御部２４０は、急速な動きや大幅な移動をした場合に、ユーザーが所定の条件を満たす動きをしたと判断する。
【００３５】
なお、Ｘ方向、Ｙ方向、Ｚ方向のそれぞれに適用される閾値は、同一の値である必要はなく、方向ごとに異なっていてもよい。例えば、Ｚ方向の閾値（第２の閾値）は、他の方向の閾値（第１の閾値）よりも小さく設定されていてもよい。なぜならば、Ｚ方向の変位、すなわち（頭部の）上下動は、着座した状態から起立する場合などに特有の動きであって、映像の鑑賞時には一般的な動きではないからである。
【００３６】
制御部２４０は、ユーザーが所定の条件を満たす動きをしたと判断した場合には、同期信号の有無を問わず、第１シャッター２５１及び第２シャッター２５２の双方を開状態にする（ステップＳ６）。つまり、このときの動作モードは、スタンバイモードである。スタンバイモードになった場合、制御部２４０は、加速度データが所定の条件を満たさなくなり、かつ、同期信号が受信されるようになると、同期モードに移行する。
【００３７】
一方、制御部２４０は、ステップＳ１の判断において、ユーザーの動きが所定の条件を満たさないと判断した場合には、同期信号の有無を判断する（ステップＳ２）。すなわち、制御部２４０は、同期信号が受信されているか否かを判断する。このとき、同期信号が受信されていれば、制御部２４０は、同期モードで動作し、同期信号に従って第１シャッター２５１及び第２シャッター２５２の開閉状態を制御する（ステップＳ３）。
【００３８】
また、制御部２４０は、同期信号が受信されていない場合には、同期信号が受信されていない期間が自走期間以下であるか否かを判断する（ステップＳ４）。同期信号が受信されていない期間が自走期間以下である場合、制御部２４０は、自走モードで動作する。すなわち、このとき制御部２４０は、直前に受信した同期信号に基づいて切り替えタイミングを予測し、同期モードの場合と同様の要領で第１シャッター２５１及び第２シャッター２５２の開閉状態を制御する（ステップＳ５）。
【００３９】
また、制御部２４０は、ステップＳ５の処理によって自走モードで動作した場合において、同期信号が受信されていない期間が自走期間を超えたときには、自走モードからスタンバイモードに移行し、第１シャッター２５１及び第２シャッター２５２の双方を開状態にする（ステップＳ６）。
【００４０】
なお、眼鏡２００の動作は、図５に示した手順に限らず、例えば、加速度データが所定の条件を満たしたときに割り込み処理が実行され、この割り込み処理によって、動作モードが同期モードや自走モードからスタンバイモードに移行するようになっていてもよい。要するに、制御部２４０は、加速度データが所定の条件を満たしたときに動作モードをスタンバイモードにすることができればよい。
【００４１】
以上のように、本実施形態によれば、ユーザーが所定の動き、すなわち、比較的大きな動作をした場合に、眼鏡２００の動作モードをスタンバイモードにし、第１シャッター２５１及び第２シャッター２５２の双方を開状態にすることが可能である。したがって、眼鏡２００を装着したユーザーは、比較的大きな動作をした場合には、それまでよりも明るい視界を得ることができる。
【００４２】
ユーザーが上記のような動作をする場合というのは、何らかの異変を察知したり、不意の事態に驚いたりした場合であることが多い。あるいは、３Ｄ映像の鑑賞時に起立したりするのは、映像の鑑賞以外の目的による場合が多い。表示システム１０によれば、３Ｄ映像の鑑賞時にユーザーが映像の鑑賞以外のことをしようとする場合に、映像の鑑賞時よりも視界を明るくすることができるため、映像の鑑賞以外の行為をしやすくすることが可能である。特に、本実施形態のようにプロジェクターを用いる場合には、映像の鑑賞時には室内の照明を暗くすることも多いため、本実施形態の動作はこのような環境下において特に適しているといえる。
【００４３】
また、眼鏡２００は、加速度データに基づいて動作することにより、加速度センサー２２０を備えない場合に比べ、スタンバイモードへの移行を早期に行うことが可能である。本実施形態によれば、同期信号を受信できている状態や、自走期間が満了していない状態であっても、同期モードや自走モードからスタンバイモードに移行することが可能である。
【００４４】
［変形例］
本発明は、上述した実施形態に限らず、以下に例示するさまざまな態様でも実施可能である。また、本発明は、必要に応じて、以下に示す変形例を複数組み合わせた態様でも実施することができる。
【００４５】
（１）本発明のセンサーは、加速度センサー以外のセンサーであってもよい。本発明のセンサーは、ユーザーの特定の部位が回転する角度やその角速度を測定するためのセンサーであってもよい。つまり、本発明のセンサーは、ユーザーに取り付けられ、ユーザの動きと相関を有する物理量を測定するためのものであれば、測定する部位や測定される具体的な物理量は特に限定されない。
【００４６】
また、本発明における物理量は、センサーによって測定される物理量そのものと、センサーによって測定される物理量（例えば加速度）に演算を施すことによって算出される他の物理量（例えば変位）とを含む。換言すれば、本発明における測定とは、センサーによって測定される物理量そのものを求めることと、当該物理量に基づいて他の物理量を求めることの双方を含むものである。
【００４７】
（２）本発明において、動作モードは、同期モード（第１モード）、自走モード（第２モード）、スタンバイモード（第３モード）の３種類である必要はなく、例えば、自走モードを含まなくてもよい。また、本発明の動作モードには、第１モード〜第３モードのいずれとも異なる他の動作モードが含まれてもよい。
【００４８】
（３）通信部１５０及び通信部２１０は、同期信号に加え、他の信号を送受信するように構成されていてもよい。ここでいう他の信号は、例えば、表示装置１００により送信されている映像を識別する識別信号である。識別信号は、表示される映像が映画などである場合であれば、そのジャンルを示すものであってもよい。また、識別信号は、表示される映像において特定の事象が発生する場合に、その事象が発生するタイミングを示すものであってもよい。ここでいう事象とは、例えば、映像のコントラストの変化や、突然かつ大音量の音声などである。
【００４９】
通信部１５０が識別信号を送信し、通信部２１０が識別信号を受信する場合において、眼鏡２００は、通信部２１０により受信された識別信号に応じてスタンバイモードに移行するための条件（閾値等）を変化させてもよい。例えば、眼鏡２００の制御部２４０は、特定の事象が発生するタイミングにおいては、それ以外のタイミングにおいて適用する閾値よりも大きい閾値を適用したり、適用する閾値を映像のジャンルによって変えたりすることが可能である。
【００５０】
ユーザーは、映像の明るさが急に変化したり、急に大きな音が聞こえたりした場合には、驚いて身体を不意に動かしてしまうことがある。また、３Ｄ映像を視聴する場合のユーザーは、その映像の臨場感のために、自身に向かってくる（ように見える）物体を咄嗟によけるような動きをすることもある。識別信号によれば、ユーザーがこのような動きをすることが予想される映像やそのタイミングを特定することが可能である。そのため、眼鏡２００は、識別信号を参照することで、ユーザーが不意の動きをしやすい場合には閾値等の条件を緩和し、映像の鑑賞に起因する不意の動きによってスタンバイモードに移行してしまうことを防ぐようにすることができる。
【００５１】
（４）通信部１５０及び通信部２１０は、一方向の通信手段ではなく、双方向の通信手段であってもよい。つまり、通信部１５０及び通信部２１０は、いずれも、信号を送信及び受信する手段であってもよい。この場合において、表示装置１００の通信部１５０は、ユーザーの動きが所定の条件を満たすことを示す信号（すなわち眼鏡２００の動作モードがスタンバイモードになったことを示す信号）を受信してもよい。
【００５２】
表示装置１００は、かかる信号によってユーザーの動きが所定の条件を満たしたことを検知できる場合に、これに応じた動作を行うことも可能である。例えば、表示装置１００は、眼鏡２００の動作モードがスタンバイモードになり、第１シャッター２５１及び第２シャッター２５２が開状態になる場合に、それまで表示していた３Ｄ映像と異なる他の映像を表示することが可能である。ここにおいて、他の映像とは、いわゆる全白（すべての表示素子が最大の明るさを表示する状態）の画像であってもよい。このようにすれば、表示装置１００が照明の代わりとして機能するため、室内を明るくすることが可能である。このような他の画像の表示は、室内の照明を暗くしている場合には特に有効である。
【００５３】
また、他の画像には、ユーザーに伝達するためのメッセージが含まれていてもよい。かかるメッセージは、例えば、「あなたが大きく動いたことを検知したため、映像を自動的に停止しました。」といったような、映像が停止したことやその理由をユーザーに知らせるためのものであってもよいし、映像の再生を再開させるための手順をユーザーに知らせるためのものであってもよい。
【００５４】
あるいは、表示装置１００は、ＤＶＤプレーヤーなどの再生装置を内蔵するなどして、映像の再生や停止を制御できる場合にあっては、ユーザーの動きが所定の条件を満たしたときに、映像の表示を一時停止してもよい。この場合、表示装置１００は、一時停止した映像に重なるようにして上記のメッセージを表示してもよい。また、表示装置１００は、一時停止後にユーザーから所定の操作を受け付けた場合には、映像の再生を再開するようにしてもよい。このようにすれば、スタンバイモード中に映像の再生が進んでしまわないようにすることが可能である。
【００５５】
（５）本発明の閾値は、ユーザーが変更可能であってもよい。ユーザーが閾値を変更するための構成は、例えば、ユーザーが操作するための設定手段（ボタンやツマミなど）を眼鏡２００に設けることによって実現可能である。このようにすれば、スタンバイモードに移行するための条件をユーザー自身で設定できるようになるため、ユーザーが望まない条件（動き）によってスタンバイモードに移行することを防ぐことが可能である。
【００５６】
また、このような設定手段は、閾値だけでなく、ユーザーの動きに応じてスタンバイモードに移行するか否かをユーザー自身に設定させる手段であってもよい。このようにすれば、ユーザーの動きが検出されても、勝手に（すなわちユーザーの意志に反して）スタンバイモードに移行しないようにすることができる。
【００５７】
（６）本発明の表示装置は、スクリーンに画像を投射するプロジェクターに限定されず、パーソナルコンピューターなどのモニター装置やテレビ受像機であってもよい。この場合の表示パネルとしては、液晶表示パネルのほか、ＰＤＰ（Plasma Display Panel）、ＯＬＥＤ（Organic Light-Emitting-Diode）、ＯＥＬ（Organic Electro-Luminescence）等と呼ばれる有機ＥＬ表示パネルなどを用いることができる。また、本発明の表示装置は、ＡＶルームに設置するような据え置き型のものではなく、携帯型の表示装置であってもよい。
【００５８】
また、本発明の表示装置をプロジェクターによって構成する場合、その表示方式は、上述した実施形態のようにスクリーンの正面側（ユーザから見える側）に光を投射することによって表示するものに限らない。例えば、本発明のプロジェクターの表示方式は、スクリーンの背面側（ユーザーからは見えない側）から光を投射し、スクリーンがその光を透過することによってユーザーが映像を視認できるものであってもよい。
【００５９】
さらに、本発明の表示装置をプロジェクターによって構成する場合、その光変調素子は、透過型の液晶パネル以外のものであってもよい。例えば、光変調素子は、透過型ではなく反射型の光変調素子（反射型の液晶パネルなど）とすることも可能である。また、光変調素子は、ＤＭＤ（Digital Micromirror Device）であってもよい。ＤＭＤとは、画素として機能する微小なミラーをマトリクス状に配列し、入射した光の射出方向を映像信号に応じて変化させる素子のことである。
【符号の説明】
【００６０】
１０…表示システム、１００…表示装置、１１０…信号取得部、１２０…画像処理部、１３０…表示部、１４０…制御部、１５０…通信部、２００…眼鏡（立体視用眼鏡）、２１０…通信部、２２０…加速度センサー、２３０…記憶部、２４０…制御部、２５０…シャッター部、２５１…第１シャッター、２５２…第２シャッター、２５３…駆動部
【図１】
2013062570.tif 000003
【図２】
2013062570.tif 000004
【図３】
2013062570.tif 000005
【図４】
2013062570.tif 000006
【図５】
2013062570.tif 000007